(57)【要約】【課題】  洗浄水への薬液の混合量の安定化を図る。【解決手段】  水洗便器１に洗浄水を吐出する吐出口に至るまでの洗浄水供給経路に接続される洗浄水通過部２０と、洗浄水通過部２０を通過する洗浄水が取り込まれる洗浄水取り込み室３１と、洗浄水取り込み室３１に隣接して薬液を収容する薬液収容部４１と、薬液収容部４１の薬液を洗浄水取り込み室３１に供給する薬液供給機構４０を備える。薬液供給機構４０は、薬液保持用溝部４３ｂを外周に備え、薬液保持用溝部４３ｂを薬液収容部４１と洗浄水取り込み室３１に交互に露出すべく往復移動するシャトル部４３を備える。シャトル部４３は、洗浄水の流入圧で、薬液保持用溝部４３ｂが薬液収容部４１に露出する方向へ移動した後、反対方向へ移動する。所定量の薬液が洗浄水取り込み室３１の洗浄水中に供給される。【選択図】  図１
2018155022.tif 000002
【特許請求の範囲】
【請求項１】
水洗便器に供給される洗浄水に薬液を供給する水洗便器用薬液供給装置であって、
前記各水洗便器内に前記洗浄水を吐出する吐出口に至るまでの洗浄水供給経路に接続される洗浄水通過部を介して、前記洗浄水が取り込まれる洗浄水取り込み室と、
前記洗浄水取り込み室に隣接して設けられ、前記薬液を収容する薬液収容部と、
前記薬液収容部の薬液を前記洗浄水取り込み室に供給する薬液供給機構と
を具備し、
前記薬液供給機構は、
薬液を保持するための薬液保持用溝部を外周に備えたシャトル部と、
前記薬液収容部と前記洗浄水取り込み室との間に設けられる仕切壁部に形成され、前記シャトル部が往復移動可能に挿入されるシャトル用貫通路と、
前記シャトル部の下部に設けられ、前記洗浄水通過部を通過する洗浄水が前記洗浄水取り込み室に取り込まれる際の流入圧で、前記シャトル部を押圧するシャトル押圧機構と
を有し、
前記シャトル押圧機構により前記シャトル部が押圧され、前記薬液保持用溝部に前記薬液収容部内の薬液が接触した後、前記洗浄水通過部の圧力の低下に伴って前記シャトル部を押圧する力が低下すると、前記薬液収容部の外面と前記シャトル用貫通路の内面とにより形成される空隙内に所定量の薬液を保持し、前記薬液保持用溝部の位置が前記シャトル用貫通路から脱して前記洗浄水取り込み室内に至ることにより、前記所定量の薬液が前記洗浄水取り込み室内に供給される構成であることを特徴とする水洗便器用薬液供給装置。
【請求項２】
前記シャトル押圧機構は、前記洗浄水通過部に連通するピストンガイド筒内を移動可能に設けられ、前記洗浄水が前記洗浄水取り込み室に取り込まれる際の流入圧で移動し、前記シャトル部を押圧するドライブピストンを備えている請求項１記載の水洗便器用薬液供給装置。
【請求項３】
前記ドライブピストンは、
該ドライブピストンの移動方向の前方側と後方側とに連通する連通流路と、
洗浄水が前記洗浄水取り込み室に取り込まれる際の流入圧で、前記連通流路を遮断するドライブ弁と
を備えている請求項２記載の水洗便器用薬液供給装置。
【請求項４】
前記薬液収容部は、前記洗浄水取り込み室の上方に設けられるとともに、その下部に薬液室を備えており、前記薬液室に、前記シャトル用貫通路を備えた前記仕切壁部が設けられる請求項１〜３のいずれか１に記載の水洗便器用薬液供給装置。
【発明の詳細な説明】
【技術分野】
【０００１】
本発明は、水洗便器に洗浄水を供給する際に、洗浄、消臭、殺菌等を目的とした薬液を供給する水洗便器用薬液供給装置に関する。
【背景技術】
【０００２】
一般に水洗便器では、洗浄、消臭、殺菌等の目的で様々な薬剤による処理が行われている。この薬剤処理の方法は水洗便器の型によっても異なるが、例えば、薬剤を便器内や洗浄水貯水タンク内に直接投入するもの、薬剤を洗浄水貯水タンクの給水部位に置くものなどがある。しかしながら、このような方法では、薬剤交換作業が頻繁であったり、不経済であったりという種々の問題があり、これらの問題は、使用回数の多い公衆便所においてはとりわけ大きいものがあった。
【０００３】
そこで、従来、特許文献１に示すように、水洗便器（特に、小便器）に洗浄水が流れる度に該水洗便器に洗浄、殺菌等を目的とした必要量の薬液を自動的に供給する水洗便器用薬液供給装置が知られている。
【０００４】
特許文献１の水洗便器用薬液供給装置は、水洗便器内に洗浄水を吐出する吐出口に至るまでの洗浄水供給経路に接続された洗浄水通過部と、この洗浄水通過部に臨む取り込み口を介して、前記洗浄水通過部を通過する洗浄水を取り込むと共に、該取り込み口を除いて密閉に形成されている洗浄水取り込み室と、前記洗浄水取り込み室に連通された第１の薬液室と、前記第１の薬液室に連通された第２の薬液室と、前記第２の薬液室内に薬液を供給する薬液供給機構とを備える。
【０００５】
前記薬液供給機構は、薬液を収容する薬液収容部と、該薬液収容部に取り付けられると共に前記第２の薬液室に臨むように設けられ、該第２の薬液室に薬液を所定量ずつ供給可能なノズルとを備えて構成されている。前記洗浄水通過部を通過する洗浄水が前記洗浄水取り込み室に取り込まれて該洗浄水取り込み室内の圧力を高めると共に、前記薬液と混合される。前記洗浄水通過部の圧力が低下してくると、前記洗浄水取り込み室内の圧力が高いため、薬液を含む前記洗浄水が、前記洗浄水通過部に押し出される構成である。
【先行技術文献】
【特許文献】
【０００６】
【特許文献１】特開２０１０−４８０７７号公報
【発明の概要】
【発明が解決しようとする課題】
【０００７】
特許文献１の水洗便器用薬液供給装置において洗浄水が１回取り込まれるたびに供給する薬液量は例えば０．０５ｃｃ程度と極めて微量である。そのため、この微量な薬液を一定量ずつ供給するにあたっては、ノズルとして内径の小さな細管が用いられる。しかし、細管であるといってもノズル内には常に薬液が存在するため、洗浄水が流れないときも極めて僅かであるが該ノズルを伝って薬液が流出する。そのため、薬液の希釈濃度が安定化しにくいという問題があった。
【０００８】
本発明は上記に鑑みなされたものであり、１回の洗浄毎に、必要な量の薬液を正確に供給でき、薬液の希釈濃度を安定化させることができる水洗便器用薬液供給装置を提供することを課題とする。
【課題を解決するための手段】
【０００９】
上記課題を解決するため、本発明の水洗便器用薬液供給装置は、
水洗便器に供給される洗浄水に薬液を供給する水洗便器用薬液供給装置であって、
前記各水洗便器内に前記洗浄水を吐出する吐出口に至るまでの洗浄水供給経路に接続される洗浄水通過部を介して、前記洗浄水が取り込まれる洗浄水取り込み室と、
前記洗浄水取り込み室に隣接して設けられ、前記薬液を収容する薬液収容部と、
前記薬液収容部の薬液を前記洗浄水取り込み室に供給する薬液供給機構と
を具備し、
前記薬液供給機構は、
薬液を保持するための薬液保持用溝部を外周に備えたシャトル部と、
前記薬液収容部と前記洗浄水取り込み室との間に設けられる仕切壁部に形成され、前記シャトル部が往復移動可能に挿入されるシャトル用貫通路と、
前記シャトル部の下部に設けられ、前記洗浄水通過部を通過する洗浄水が前記洗浄水取り込み室に取り込まれる際の流入圧で、前記シャトル部を押圧するシャトル押圧機構と
を有し、
前記シャトル押圧機構により前記シャトル部が押圧され、前記薬液保持用溝部に前記薬液収容部内の薬液が接触した後、前記洗浄水通過部の圧力の低下に伴って前記シャトル部を押圧する力が低下すると、前記薬液収容部の外面と前記シャトル用貫通路の内面とにより形成される空隙内に所定量の薬液を保持し、前記薬液保持用溝部の位置が前記シャトル用貫通路から脱して前記洗浄水取り込み室内に至ることにより、前記所定量の薬液が前記洗浄水取り込み室内に供給される構成であることを特徴とする。
【００１０】
前記シャトル押圧機構は、前記洗浄水通過部に連通するピストンガイド筒内を移動可能に設けられ、前記洗浄水が前記洗浄水取り込み室に取り込まれる際の流入圧で移動し、前記シャトル部を押圧するドライブピストンを備えていることが好ましい。
【００１１】
前記ドライブピストンは、
該ドライブピストンの移動方向の前方側と後方側とに連通する連通流路と、
洗浄水が前記洗浄水取り込み室に取り込まれる際の流入圧で、前記連通流路を遮断するドライブ弁と
を備えていることが好ましい。
【００１２】
前記薬液収容部は、前記洗浄水取り込み室の上方に設けられるとともに、その下部に薬液室を備えており、前記薬液室に、前記シャトル用貫通路を備えた前記仕切壁部が設けられることが好ましい。
【発明の効果】
【００１３】
本発明によれば、シャトル部が薬液収容部の薬液室と洗浄水取り込み室とを往復移動する際、該シャトル部は薬液室に設けられたシャトル用貫通路を移動するようになっている。そのため、薬液保持用溝部が薬液室内に露出した時に該薬液保持用溝部の周囲に位置する薬液は、シャトル用貫通路を通過する際に、該シャトル用貫通路の内面との間の空隙に保持される。そして、薬液保持用溝部がシャトル用貫通路から脱して洗浄水取り込み室に露出した時には、薬液保持用溝部の周囲の薬液が洗浄水取り込み室の洗浄水に混合される。薬液の供給量は、薬液保持用溝部の外面とシャトル用貫通路の内面との間の空隙の容積で決まるため、薬液保持用溝部の大きさや形状等によって微量の薬液を正確に供給できる。そのため、水洗便器に供給される洗浄水の薬液の濃度が安定化する。
【図面の簡単な説明】
【００１４】
【図１】図１は、本発明の実施形態に係る水洗便器用薬液供給装置の正面側から視た縦断面図である。
【図２】図２は、図１の側面から視た縦断面図である。
【図３】図３（ａ）は、シャトル部の斜視図で、図３（ｂ）は、図３（ａ）の矢視ＩＩＩｂ−ＩＩＩｂ線の断面図である。
【図４】図４は、図１〜図２に示した水洗便器用薬液供給装置の本体部を水洗便器（小便器）の上部の横に配置した状態を示す概略図である。
【図５】図５は、水洗便器用薬液供給装置の部分的な拡大断面図である。
【図６】図６は、水洗便器用薬液供給装置の動作を示す説明断面図である。
【図７】図７は、水洗便器用薬液供給装置の動作を示す説明断面図である。
【図８】図８は、水洗便器用薬液供給装置の動作を示す説明断面図である。
【発明を実施するための形態】
【００１５】
以下、図面に示した実施形態に基づき本発明を説明する。図１は、本発明の実施形態に係る水洗便器用薬液供給装置１０の概略構成を示すもので、正面から視た縦断面図である。図２は、側面から視た縦断面図である。図１及び図２に示したように、水洗便器用薬液供給装置１０は、本体部３０、薬液供給機構４０を有して構成される。
【００１６】
本実施形態の水洗便器用薬液供給装置１０は、図４に示すように、例えば、水洗便器１（小便器）の上部の横に並べてトイレ内の壁面に取り付けて使用される。また、水洗便器１内に洗浄水を吐出するために設けた吐出口に至るまで洗浄水が通過する洗浄水供給経路の中途に、洗浄水通過部２０が接続される。なお、洗浄水供給経路とは、図４に示すように、洗浄水を供給する洗浄水供給管２と、一端が洗浄水供給管２に接続され、かつ、他端が水洗便器１内に洗浄水を吐出するために設けた吐出口に連通し、例えば水洗便器１の上部空間５に配置される便器内配管３とを含むものである。便器内配管３には、その中途に、圧力調整ユニット４やソレノイドが介在される。なお、洗浄水通過部２０は、接続部として圧力調整ユニット４に接続される。
【００１７】
本体部３０は、図１、図２及び図４に示すように、ケーシング３０ａ内に設けた洗浄水取り込み室３１と薬液収容部４１とを有している。具体的にはケーシング３０ａの下部に洗浄水取り込み室３１を設け、隔壁部６０を隔てて、その上部に薬液収容部４１を設けている。なお、前記隔壁部６０は、洗浄水取り込み室３１の上壁部及び薬液収容部４１の底壁部を兼用する。
【００１８】
洗浄水取り込み室３１には、洗浄水通過部２０を通過する洗浄水が取り込まれる。洗浄水取り込み室３１の底部は、その中央位置に洗浄水通過部２０に連通する洗浄水の取り込み口３１ａを下方外側に伸びるように設けている。また、前記取り込み口３１ａに連通するピストンガイド筒５１が、洗浄水取り込み室３１の底部から上方内側に伸びるように設けられ、シャトル押圧機構５０を構成するドライブピストン５２が前記ピストンガイド筒５１内を上下動するように設けられる。
【００１９】
ドライブピストン５２は、洗浄水が洗浄水取り込み室３１に取り込まれる際の流入圧で移動し、シャトル部４３の先端（下端）を、本実施形態では図１及び図２において上方向に押圧するが詳細は後述する。なお、本実施形態では、シャトル部４３が薬液収容部４１に向かって移動する方向（上方向）を「第一方向」という。
【００２０】
薬液供給機構４０は、薬液収容部４１の薬液を洗浄水取り込み室３１内に供給する機構である。詳しく説明すると、薬液収容部４１の下部には、薬液収容部４１に連通して薬液を貯留する薬液室４２を形成している。薬液室４２は、本実施形態では、隔壁部６０の中心付近で、薬液収容部４１および洗浄水取り込み室３１に上下方向に伸びる筒形状であるが、下側の開口部にはシャトル用貫通路４２１ａが形成された仕切壁部４２１が設けられている。
【００２１】
シャトル部４３は、前記のシャトル用貫通路４２１ａに挿通して上下方向に移動可能に保持されている。なお、シャトル部４３は、図３に示すように、その上端にフランジ部４３ａを形成しており、該フランジ部４３ａが仕切壁部４２１におけるシャトル用貫通路４２１ａの上端開口の周辺部に当接してシャトル部４３が下方へ抜け落ちない構成である。また、薬液室４２の上部壁や側壁には薬液収容部４１に連通する連通孔４２ａを形成しているので、薬液収容部４１の薬液が薬液室４２へ流入する。
【００２２】
シャトル部４３は、図３（ａ）に示すように、断面円形のシャフト形状であり、その長手方向のほぼ中央位置の外周に、薬液を保持するための薬液保持用溝部４３ｂを備えている。シャトル部４３は、薬液保持用溝部４３ｂが薬液室４２と洗浄水取り込み室３１に交互に露出するように、薬液室４２と洗浄水取り込み室３１とを上下方向に往復移動可能である。
【００２３】
薬液保持用溝部４３ｂは、本実施形態では、例えば図３（ａ），（ｂ）に示すように、シャトル部４３の長手方向のほぼ中央位置に所定の長さで、シャトル部４３の横断面で見た場合に、対向する円弧とその弦とからなる一対の溝から形成することができる。各薬液保持用溝部４３ｂは上記のようにシャトル用貫通路４２１ａを通過するように設けられており、各薬液保持用溝４３ｂの外面とシャトル用貫通路４２１ａの内面との間に形成される空隙４２２（図７参照）の容積が薬液の保持量となる。本実施形態では、この空隙の容積が約０．０５ｃｃとなるように各薬液保持用溝４３ｂの溝幅、溝長さ、深さ、形状等を規定している。また、薬液抽出用溝部４３ｂは、中心を挟んで対向する位置に２つ設けているが、さらに複数の溝から形成してもよいし、全周囲に亘って形成した１つの溝であってもよい。
【００２４】
シャトル部４３は、薬液保持用溝部４３ｂが洗浄水取り込み室３１に露出する方向、つまり、本実施形態では、図１において下方向へ移動するよう常時付勢される構成である。なお、本実施形態では、シャトル部４３が洗浄水取り込み室３１の方向へ移動する方向を「第二方向」という。
【００２５】
より具体的に説明すると、図１、図２及び図５に示すように、薬液室４２の内部には、ボール状の弁体４４ａが収納されており、弁体４４ａに対向する薬液室４２の底部付近には、弁体４４ａが当接するテーパ面４５ａを備えたリング状の弁座４５が設けられている。この弁座４５は薬液が漏れないようにゴムなどの材質であり、その中心にシャトル部４３を通過可能な孔部４５ｂを備えている。
【００２６】
さらに、薬液室４２の内部には、弁体４４ａの上に載せて弁体４４ａを下方へ押圧する第一の重り４４ｂと第二の重り４４ｃを配置している。本実施形態では、第一の重り４４ｂと第二の重り４４ｃが筒状のシャトル重りケース４４内に収納されており、シャトル重りケース４４の下端が弁体４４ａの上に当接している。また、シャトル重りケース４４の上端には上方へ伸びるガイドシャフト４４ｄを配置し、該ガイドシャフト４４ｄが薬液室４２の上壁部に設けた貫通孔４２ｃに挿通している。これにより、シャトル重りケース４４は、薬液室４２内を安定して上下動する。
【００２７】
従って、シャトル部４３は、図５において弁体４４ａの部分に矢印で示すように、弁体４４ａ、第一の重り４４ｂ、第二の重り４４ｃによって洗浄水取り込み室３１の方向（下方向（第二方向））へ常時付勢される。シャトル部４３が最下方位置にあるときは、薬液保持用溝部４３ｂが洗浄水取り込み室３１に露出している。この時、弁体４４ａが弁座４５のテーパ面４５ａに当接するので、薬液室４２内の薬液が洗浄水取り込み室３１に漏れることはない。
【００２８】
なお、第一の重り４４ｂ及び第二の重り４４ｃは、弁体４４ａを第二方向へ付勢するためのものであり、その重りの数は限定されない。また、弁体４４ａを付勢できればよいため、重りを用いずに、ばねやゴムなどの弾性部材を用いることもできる。
【００２９】
ドライブピストン５２は、該ドライブピストン５２の移動方向の一端側と他端側に連通する縦連通流路５２ａを形成している。本実施形態では図１、図２及び図５に示すように、ドライブピストン５２はピストンガイド筒５１内を上下方向に移動するので、縦連通流路５２ａはドライブピストン５２の上端と下端に連通すると共に、上下方向の中途位置には、前記縦連通流路５２ａとドライブピストン５２の外周との間で横方向に連通する横連通流路５２ｂを有している。
【００３０】
また、ピストンガイド筒５１は、図１及び図５に示すように、その上部寄りの側面に、洗浄水取り込み室３１に連通する連通孔５１ａを形成している。本実施形態では、連通孔５１ａは縦長の長孔である。
【００３１】
ドライブピストン５２の下部には、下面５２１ｃに連通孔５２１ｄが形成された上面開口のピストン連結筒５２１が連結されている。ドライブピストン５２の下端面とピストン連結筒５２１の下面５２１ｃとの間には、所定の空間部５２ｄが形成され、この空間部５２ｄ内に、ドライブ弁５３が収納配設される。ドライブ弁５３は、上端面に、ゴム等の柔軟な素材からなる緩衝材５３ａが設けられている。これにより、ドライブ弁５３が上昇すると、縦連通流路５２ａの下端に緩衝材５３ａ当接して縦連通流路５２ａを閉塞する。なお、ドライブ弁５３の側面の一部はドライブ室５２ｄの内周面との間に、流路となる隙間５３ｂを形成している。
【００３２】
また、水洗便器用薬液供給装置１０は、図２に示すように、隔壁部６０における薬液室４２の周囲に位置する部分に、該隔壁部６０を厚み方向に貫通する連通孔６１を設け、この連通孔６１に所定長さの連通管７０を取り付けている。具体的には、連通管７０は、連通孔６１に上向きに略垂直に、かつ、該連通管７０の上端開口部７０ａが、薬液収容部４１の上方空間部に位置するように取り付けられる。これにより、洗浄水取り込み室３１の内圧と薬液収容部４１の内圧とが、該連通管７０を介して等しくなる。
【００３３】
ここで、前述のように取り込み口３１ａは、洗浄水取り込み室３１の底部で、ピストンガイド筒５１に連通して下方へ伸びており、ケーシング３０ａの下部に設けている。洗浄水通過部２０は、前記の取り込み口３１ａの下端に接続している。従って、洗浄水取り込み室３１及び薬液収容部４１は、前記の取り込み口３１ａを除いて、実質的に密閉された構成になっている。
【００３４】
次に、本実施形態の水洗便器用薬液供給装置１０の作用について説明する。
水洗便器用薬液供給装置１０の通常の運転状態では、洗浄水が流れると、洗浄水は、図４に示したように、水洗便器１の上部に設けた便器内配管３から圧力調整ユニット４を経てそのまま水洗便器１内に流れてゆくと共に、洗浄水の一部が圧力調整ユニット４の接続部管路を経て洗浄水通過部２０へ圧送される。さらに、洗浄水通過部２０から取り込み口３１ａを経てケーシング３０ａ内に流入する。
【００３５】
本実施形態の水洗便器用薬液供給装置１０において、洗浄水が流入する前の状態は、図１、図２及び図５に示す通りである。洗浄水取り込み室３１内においては、前回の動作によって排出されなかった液体（薬液が所定の濃度で混合された洗浄水）が連通孔５１ａに至るまでの水位で残留している。図６に一点鎖線で示すように、洗浄水が取り込み口３１ａを経てピストンガイド筒５１内へ流入すると、ドライブ弁５３が洗浄水の流入圧で押し上げられ、ドライブ弁５３の上部の緩衝材５３ａがドライブピストン５２の縦連通流路５２ａの下端に当接して前記の縦連通流路５２ａを閉塞する。その結果、前記の流入圧によってドライブピストン５２がピストン連結筒５２１と共に上方向へ押し上げられる。ドライブピストン５２の上端がシャトル部４３の下端に突き当たると、シャトル部４３も一緒に上方向（第一方向）へ押し上げる。
【００３６】
シャトル部４３は、薬液室４２内の弁体４４ａ、第一の重り４４ｂ、第二の重り４４ｃによる下方向（第二方向）への付勢力に抗して上昇し、薬液保持用溝部４３ｂが薬液室４２に露出する。それにより、薬液保持用溝部４３ｂの外面にも薬液が接することになる。なお、シャトル部４３が上昇すると、弁体４４ａが弁座４５のテーパ面４５ａから離間する。また、図６に示すように、流入した洗浄水は、ピストン用連結筒５２１とピストンガイド筒５１との僅かな隙間を通り、該隙間の上端や連通孔５１ａを通じて、ピストンガイド筒５１の外側である洗浄水取り込み室３１内に流入し、水位が上昇していく。
【００３７】
上述のように洗浄水が洗浄水取り込み室３１へ流入すると、洗浄水の供給が終わり近くになって、洗浄水通過部２０の圧力が低下してくると、ドライブ弁５３を押し上げる力がなくなるため、図７に示したように、該ドライブ弁５３が下降し、さらに、ドライブピストン５２は、第一の重り４４ｂ、第二の重り４４ｃによる第二方向への付勢力も加わって、シャトル部４３を介して下降することになる。
【００３８】
図７に示したように、シャトル部４３は、仕切壁部４２１のシャトル用貫通路４２１ａを通過するが、薬液保持用溝部４３ｂの周囲は薬液が存在しているため、シャトル用貫通路４２１ａを通過する際には、薬液保持用溝部４３ｂの外面とシャトル用貫通路４２１ａの内面との間に形成される空隙４２２に薬液を保持した状態で下降していく。そして、図８に示すように、薬液保持用溝部４３ｂがシャトル用貫通路４２１ａから脱して洗浄水取り込み室３１に露出すると、薬液保持用溝部４３ｂの周囲の薬液が洗浄水取り込み室３１内に供給され、洗浄水と混合される。この際、薬液の混合量は、空隙４２２の容積となるため、洗浄水が流れるたびに、同量の薬液を混合させることができ、希釈濃度が安定する。
【００３９】
薬液が所定の濃度で混合された洗浄水は、図８に一点鎖線で示すように、ドライブピストン５２の縦連通流路５２ａ、横連通流路５２ｂ、空間部５２ｄ、ピストン連結筒５２１の下面５２１ｃの連通孔５２１ｄを通じて、取り込み口３１ａに向かって流出する。また、ピストンガイド筒５１の連通孔５１ａ、ピストンガイド筒５１とドライブピストン５２との間の僅かな隙間、ピストンガイド筒５１とピストン連結筒５２１との僅かな隙間を通じても、取り込み口３１ａに向かって流出する。さらに、前記の薬液が所定の濃度で混合された洗浄水は、取り込み口３１ａから洗浄水通過部２０へ押し出され、水洗便器１に流れて洗浄する。なお、洗浄水取り込み室３１内には、薬液が所定の濃度で混合された洗浄水が残留し(図１、図５参照)、次回の洗浄の際に、新たに取り込まれる洗浄水と新たに供給される所定量の薬液と混ざり合って、所定の濃度に調製される。
【符号の説明】
【００４０】
１  水洗便器
２  洗浄水供給管
４  圧力調整ユニット
１０  水洗便器用薬液供給装置
２０  洗浄水通過部
３１  洗浄水取り込み室
３１ａ  取り込み口
４０  薬液供給機構
４１  薬液収容部
４２  薬液室
４３  シャトル部
４３ｂ  薬液保持用溝部
４４ａ  弁体
４５  弁座
５０  シャフト押圧機構
５１  ピストンガイド筒
５２  ドライブピストン
５３  ドライブ弁
【図１】
2018155022.tif 000003
【図２】
2018155022.tif 000004
【図３】
2018155022.tif 000005
【図４】
2018155022.tif 000006
【図５】
2018155022.tif 000007
【図６】
2018155022.tif 000008
【図７】
2018155022.tif 000009
【図８】
2018155022.tif 000010